(57)【要約】      （修正有）【課題】気水混合流分散装置に装着した切替え装置の切り替えレバーによってファインバブル及びマイクロバブルを洗浄器キヤップより自在に噴出させる洗浄器を提供する。【解決手段】洗浄器本体内部に設置した回転筒４に加圧された水などの液体を導入することによって液体が高速旋回し回転筒４内上部の出口が負圧状態になり、回転筒４中心部に設けた空気導入路から空気が吸入され、流体と混合して気水混合流が発生する洗浄器。発生した気水混合流が洗浄器本体内部の気水混合流出口上部に設置した分散板９に強く打ち当ることによって、気水混合流に含まれる不均一な形状の気泡が破砕され均一な気泡にすることを可能にした。２種類の気泡を含む気水混合流を切り替え操作レバー１の操作によって自在に得られる機能を特徴とする。【選択図】図３
0003190442.tif 000002
【実用新案登録請求の範囲】
【請求項１】
実願登録第３１６８０５７号に記載された気水混合流分散装置より発生する気水混合流に含まれる気泡の表面に微粒子を吸着、剥離する作用を応用してこれ等を取り除くことを目的とした台所用洗浄器である。
【請求項２】
前記気水混合流分散装置より発生する気泡の形状を切替え装置を操作することによって、気水混合流中に含まれる気泡でマイクロバブル及びマイクロバブルの泡径よりも十数倍大きい気泡を自在に発生させることが出来る台所用洗浄器である。
【請求項３】
前記気水混合流分散装置に装着された気泡切替え装置を介して二種類の泡径を有する気泡を発生させ、その気泡表面に汚れを付着剥離させ除去する台所用食器、食物の洗浄器である。
【考案の詳細な説明】
【技術分野】
【０００１】本考案は気水混合流の噴出せしめる装置に気泡形状切り替え装置を装着した台所用洗浄器に関する。【０００２】詳細には本考案は実願登録第３１６８０５７号に記載された気水混合流分散装置に切り替え装置を装着せしめるものであって、前記気水混合流分散装置より噴出する気泡の形状を二種類選択できるものである。
【背景技術】
【０００３】従来から一般家庭の台所用食器洗浄器としては、ビルトインタイプや卓上型のものが知られているが、いずれもアルカリ性粉末などの洗剤を使って洗浄する方法が一般的である。【０００４】この場合食器類を洗浄器内に定位置で配列させて強い水圧の水道水を噴きかけて洗浄する方法であるが、洗浄ムラが出ることや洗浄不足の場合には食器類の表面に洗剤が残ってしまう欠点がある。【０００５】本考案の洗浄器は使用する洗剤使用量を従来より大幅に減少する事が出来、洗浄後の食器類表面には洗剤の残りがない。【０００６】更に食器類の表面に付着した汚れを洗浄する場合汚れの種類によっては全く洗剤を使用しなくとも汚れが取り除かれることが判明している。
【先行技術文献】
【特許文献】
【０００７】
【特許文献１】実願登録第３１６８０５７号
【考案の概要】
【考案を解決するための課題】
【０００８】実願登録第３１６８０５７号に記載されている気水混合流分散装置より噴出される気泡水は食器類の洗浄に適しているが、野菜、果物などの食物類の細部にまで付着した汚れを洗浄するには適さない。
【０００９】野菜や果物などの食物を洗浄する場合には、マイクロバブルを混入した水中に浸しておくことによって短時間で食物の細部にまでマイクロバブルが浸透し洗浄することが可能になった。
【００１０】そこで食器類用として実願登録第３１６８０５７号に記載されている気水混合流分散装置より噴出する比較的大きな径の気泡を応用し、野菜、果物などの食物には前記気水混合流分散装置に装着した切り替え装置でマイクロバブルを噴出することによって野菜、果物など食物の洗浄用として表面に付着している汚れ、異物を除去する目的で開発したものである。
【問題を解決するための手段】
【００１１】実願登録第３１６８０５７号に記載の気水混合流分散装置より噴出される気泡の泡径はφ０．１８〜０．６８ｍｍ（以降名称をファインバブル、ＦＢとして表す）の範囲に調整されており、この気泡は水の粘性に打ち勝って活発に振動しその振動エネルギーは非常に強いことが証明されている。
【００１２】一方前記気水混合流分散装置に装着された切り替え装置によって噴出される気泡の泡径が１０〜５０μのマイクロバブル（以降ＭＢとして表す）が発生するが、この気泡は水の粘性によって閉じ込められて固体化し、水中においては泡の特性である振動、浮上作用が抑制されほぼ静止状態になる。
【００１３】ＦＢおよびＭＢの各々異なる泡特性を最大限利用する目的でこれ等の気泡を噴出させる切替え装置を装着し、自在に異なる気泡を噴出させ食器類から野菜、果物など食物類の洗浄を可能にしたものである。
【考案の効果】
【００１４】その結果実願登録第３１６８０５７号記載の気水混合流分散装置に装着した切替え装置を調節することによって、ＦＢ、ＭＢを自在に発生させることが可能になった。
【００１５】請求項１〜３に記載された二種類の気泡を発生させる気水混合流分散切り替え装置を操作することによって食器類や野菜、果物など食物類の表面に付着した汚れを取り除くことが可能になった。
【００１６】以下本考案の台所用洗浄器の実施形態について説明する。
【００１７】図１は第１の実施形態の組立上面図であり切替え装置がＭＢ発生の位置にある。
【００１８】図２は第１の実施形態の組立上面図であり切り替え装置がＦＢ発生の位置にある。
【００１９】図３は第１の実施形態の組立正面の断面図である。
【００２０】図４は第１の実施形態のＭＢ発生の組立断面拡大図である。
【００２１】図５は第１の実施形態のＦＢ発生の組立断面拡大図である。
【図面の簡単な説明】
【００２２】
【図１】は第１の実施形態の組立上面図であり切替え装置がＭＢ発生の位置にある。
【図２】は第１の実施形態の組立上面図であり切り替え装置がＦＢ発生の位置にある。
【図３】は第１の実施形態の組立正面の断面図である。
【図４】は第１の実施形態のＭＢ発生の組立断面拡大図である。
【図５】は第１の実施形態のＦＢ発生の組立断面拡大図である。
【符号の説明】
【００２３】▲１▼  切り替え操作レバー
▲２▼  洗浄器本体
▲３▼  Ｏリング
▲４▼  回転筒
▲５▼  ＭＢノズル
▲６▼  Ｏリング
▲７▼  取り付けネジ
▲８▼  Ｏリング
▲９▼  分散板
▲１０▼  洗浄器キヤップ
▲１１▼  ノズル板
▲１２▼  ゴムパッキン
▲１３▼  ＭＢ空気吸入管
ア  水道水水路
イ  空気吸入路
【図１】
0003190442.tif 000003
【図２】
0003190442.tif 000004
【図３】
0003190442.tif 000005
【図４】
0003190442.tif 000006
【図５】
0003190442.tif 000007
【手続補正書】
【提出日】平成25年10月9日(2013.10.9)
【手続補正１】
【補正対象書類名】実用新案登録請求の範囲
【補正対象項目名】全文
【補正方法】変更
【補正の内容】
【実用新案登録請求の範囲】
【請求項１】
洗浄器本体内部に設置した回転筒に加圧された水などの液体を導入することによって液体が高速旋回し回転筒内上部の出口が負圧状態になり回転筒中心部に設けた空気導入路から空気が吸入され流体と混合して気水混合流が発生する洗浄器。
【請求項２】
発生した気水混合流が洗浄器本体内部の気水混合流出口上部に設置した分散板に強く打ち当ることによって気水混合流に含まれる不均一な形状の気泡が破砕され均一な気泡にすることを可能にした請求項１記載の洗浄器。
【請求項３】
気水混合流に含まれる気泡で呼称ファインバブルは径で０．１８〜０．６８ｍｍの範囲の気泡であって最も大きい活性振動力を有し洗浄力に優れる一方マイクロバブルは径が１０〜５０μであって洗浄力や殺菌力があり多くの分野で広く応用されているこの２種類の気泡を含む気水混合流を切り替え操作レバーの操作によって自在に得られる機能を特徴とする請求項１記載の洗浄器。
【手続補正書】
【提出日】平成25年12月12日(2013.12.12)
【手続補正１】
【補正対象書類名】実用新案登録請求の範囲
【補正対象項目名】請求項３
【補正方法】変更
【補正の内容】
【請求項３】
気水混合流に含まれる気泡で呼称ファインバブル（ＦＢ）は径で０．１８〜０．６８ｍｍの範囲の気泡であって最も大きい活性振動力を有し洗浄力に優れる一方マイクロバブル（ＭＢ）は径で１０〜５０μの範囲の気泡であって洗浄力や殺菌力があり多くの分野で広く応用されているこの２種類の気泡を含む気水混合流の発生方法として先ず切り替え操作レバーをＦＢの位置に固定することによって切り替え操作レバーと回転筒との間隔及び切り替え操作レバーとＭＢノズルとの間隔が開放され大量の空気が取り込まれＦＢが発生し又切り替え操作レバーをＭＢの位置に固定することによってこれ等の間隔を密閉しＭＢノズルに設置したＭＢ空気吸入管（直径φ０．１５〜０．２０ｍｍ）から極めて少量の空気を吸入しＭＢが発生する機構であってこのように切り替え操作レバーの切り替えによってＦＢ及びＭＢが自在に得られる機能を特徴とする請求項１記載の洗浄器。
【手続補正書】
【提出日】平成26年2月6日(2014.2.6)
【手続補正１】
【補正対象書類名】実用新案登録請求の範囲
【補正対象項目名】請求項３
【補正方法】変更
【補正の内容】
【請求項３】
ファインバブル（ＦＢ）およびマイクロバブル（ＭＢ）とを切り替える切り替え操作レバーと、ＭＢノズルと、ＭＢノズルに設置したＭＢ空気吸入管とを備え、切り替え操作レバーをＦＢの位置に固定することによって切り替え操作レバーと回転筒との間隔及び切り替え操作レバーとＭＢノズルとの間隔が開放されて、前記間隔から大量の空気が取り込まれＦＢが発生し、切り替え操作レバーをＭＢの位置に固定することによって前記間隔を密閉しＭＢノズルに設置したＭＢ空気吸入管から極めて少量の空気を吸入しＭＢが発生することを特徴とする請求項１記載の洗浄器。